(57)【要約】構成可能な増幅器（２００）のための方法および装置が開示される。第１の動作モードで動作しているとき、構成可能な増幅器（２００）は、通信信号を増幅し得、かつ通信信号に関連する第２の高調波コンポーネントをキャンセルまたは減衰させ得る。第２の動作モードで動作しているとき、構成可能な増幅器（２００）は、通信信号に関連する第２の高調波コンポーネントをキャンセルまたは減衰させることなく、通信信号を増幅し得る。
2018514143.tif 000002
【特許請求の範囲】
【請求項１】
構成可能な増幅器であって、
第１のアップコンバートされた通信信号を生成するための第１の処理チェーンと、
第２のアップコンバートされた通信信号を生成するための第２の処理チェーンと、
前記第１のアップコンバートされた通信信号および前記第２のアップコンバートされた通信信号に少なくとも部分的に基づいて、前記構成可能な増幅器の出力信号を生成するための加算ノードと、ここにおいて、
前記構成可能な増幅器が第１のモードで動作することになるとき、前記第２のアップコンバートされた通信信号は、前記第１のアップコンバートされた通信信号の実質的に９０度位相シフトされたバージョンであり、
前記構成可能な増幅器が第２のモードで動作することになるとき、前記第２のアップコンバートされた通信信号は、前記第１のアップコンバートされた通信信号と実質的に同様である、
を備える、構成可能な増幅器。
【請求項２】
前記第１のアップコンバートされた通信信号は、第１のローカル発振器信号に少なくとも部分的に基づき、前記第２のアップコンバートされた通信信号は、第２のローカル発振器信号に少なくとも部分的に基づく、請求項１に記載の構成可能な増幅器。
【請求項３】
前記構成可能な増幅器が前記第１のモードで動作することになるとき、前記第２のローカル発振器信号は、前記第１のローカル発振器信号の実質的に９０度位相シフトされたバージョンであり、
前記構成可能な増幅器が前記第２のモードで動作することになるとき、前記第２のローカル発振器信号は、前記第１のローカル発振器信号と実質的に同一である、
請求項２に記載の構成可能な増幅器。
【請求項４】
前記構成可能な増幅器が前記第１のモードで動作することになるとき、前記第２のアップコンバートされた通信信号は、前記出力信号の少なくとも二次高調波をキャンセルすることになり、
前記構成可能な増幅器が前記第２のモードで動作することになるとき、前記第２のアップコンバートされた通信信号は、前記出力信号の大きさを増加させることになる、
請求項１に記載の構成可能な増幅器。
【請求項５】
前記構成可能な増幅器の動作モードに基づいてモード制御信号を生成するための制御ブロックをさらに備える、請求項１に記載の構成可能な増幅器。
【請求項６】
前記構成可能な増幅器の前記出力信号が減衰された第２の高調波コンポーネントを有するべきであるとき、前記制御ブロックは、前記モード制御信号を第１の状態に駆動することになり、
前記構成可能な増幅器の前記出力信号が減衰されていない第２の高調波コンポーネントを有するべきであるとき、前記制御ブロックは、前記モード制御信号を第２の状態に駆動することになる、
請求項５に記載の構成可能な増幅器。
【請求項７】
前記第１のアップコンバートされた通信信号および前記第２のアップコンバートされた通信信号は、直交ベースバンド信号および直交ローカル発振器信号に少なくとも部分的に基づく、請求項１に記載の構成可能な増幅器。
【請求項８】
前記第２の処理チェーンは、ベースバンド信号およびローカル発振器信号に少なくとも部分的に基づいて、前記第２のアップコンバートされた通信信号を生成することになる、請求項１に記載の構成可能な増幅器。
【請求項９】
前記第２の処理チェーンは、
前記構成可能な増幅器が前記第１のモードで動作することになるとき、前記ローカル発振器信号として第１のローカル発振器信号を選択するための、および、前記構成可能な増幅器が前記第２のモードで動作することになるとき、前記ローカル発振器信号として第２のローカル発振器信号を選択するための、信号セレクタを備える、請求項８に記載の構成可能な増幅器。
【請求項１０】
前記構成可能な増幅器が前記第１のモードで動作することになるとき、前記第２のローカル発振器信号は、前記第１のローカル発振器信号の実質的に９０度位相シフトされたバージョンであり、
前記構成可能な増幅器が前記第２のモードで動作することになるとき、前記第２のローカル発振器信号は、前記第１のローカル発振器信号と実質的に同一である、
請求項９に記載の構成可能な増幅器。
【請求項１１】
前記第１のアップコンバートされた通信信号をバッファするための第１のトランジスタのペアと、
前記第２のアップコンバートされた通信信号をバッファするための第２のトランジスタのペアと、
をさらに備える、請求項１に記載の構成可能な増幅器。
【請求項１２】
ワイヤレス通信デバイスであって、
ベースバンドプロセッサと、
通信信号を増幅するための、前記ベースバンドプロセッサに結合された構成可能な増幅器と、
を備え、前記構成可能な増幅器は、
第１のアップコンバートされた通信信号を生成するための第１の処理チェーンと、
第２のアップコンバートされた通信信号を生成するための第２の処理チェーンと、
前記第１のアップコンバートされた通信信号および前記第２のアップコンバートされた通信信号に少なくとも部分的に基づいて、前記構成可能な増幅器の出力信号を生成するための加算ノードと、ここにおいて、
前記構成可能な増幅器が第１のモードで動作することになるとき、前記第２のアップコンバートされた通信信号は、前記第１のアップコンバートされた通信信号の実質的に９０度位相シフトされたバージョンであり、
前記構成可能な増幅器が第２のモードで動作することになるとき、前記第２のアップコンバートされた通信信号は、前記第１のアップコンバートされた通信信号と実質的に同様である、
を備える、ワイヤレス通信デバイス。
【請求項１３】
前記第１のアップコンバートされた通信信号は、第１のローカル発振器信号に少なくとも部分的に基づき、前記第２のアップコンバートされた通信信号は、第２のローカル発振器信号に少なくとも部分的に基づく、請求項１２に記載のワイヤレス通信デバイス。
【請求項１４】
前記構成可能な増幅器が前記第１のモードで動作することになるとき、前記第２のローカル発振器信号は、前記第１のローカル発振器信号の実質的に９０度位相シフトされたバージョンであり、
前記構成可能な増幅器が前記第２のモードで動作することになるとき、前記第２のローカル発振器信号は、前記第１のローカル発振器信号と実質的に同一である、
請求項１３に記載のワイヤレス通信デバイス。
【請求項１５】
前記構成可能な増幅器が前記第１のモードで動作することになるとき、前記第２のアップコンバートされた通信信号は、前記出力信号の少なくとも二次高調波をキャンセルすることになり、
前記構成可能な増幅器が前記第２のモードで動作することになるとき、前記第２のアップコンバートされた通信信号は、前記出力信号の大きさを増加させることになる、
請求項１２に記載のワイヤレス通信デバイス。
【請求項１６】
前記構成可能な増幅器の動作モードに基づいてモード制御信号を生成するための制御ブロックをさらに備える、請求項１２に記載のワイヤレス通信デバイス。
【請求項１７】
前記構成可能な増幅器の前記出力信号が減衰された第２の高調波コンポーネントを有するべきであるとき、前記制御ブロックは、前記モード制御信号を第１の状態に駆動することになり、
前記構成可能な増幅器の前記出力信号が減衰されていない第２の高調波コンポーネントを有するべきであるとき、前記制御ブロックは、前記モード制御信号を第２の状態に駆動することになる、
請求項１６に記載のワイヤレス通信デバイス。
【請求項１８】
前記第２の処理チェーンは、ベースバンド信号およびローカル発振器信号に少なくとも部分的に基づいて、前記第２のアップコンバートされた通信信号を生成することになる、請求項１２に記載のワイヤレス通信デバイス。
【請求項１９】
前記第２の処理チェーンは、
前記構成可能な増幅器が前記第１のモードで動作することになるとき、前記ローカル発振器信号として第１のローカル発振器信号を選択するための、および、前記構成可能な増幅器が前記第２のモードで動作することになるとき、前記ローカル発振器信号として第２のローカル発振器信号を選択するための、信号セレクタを備える、請求項１８に記載のワイヤレス通信デバイス。
【請求項２０】
前記構成可能な増幅器が前記第１のモードで動作することになるとき、前記第２のローカル発振器信号は、前記第１のローカル発振器信号の実質的に９０度位相シフトされたバージョンであり、
前記構成可能な増幅器が前記第２のモードで動作することになるとき、前記第２のローカル発振器信号は、前記第１のローカル発振器信号と実質的に同一である、
請求項１９に記載のワイヤレス通信デバイス。
【請求項２１】
構成可能な増幅器を動作させる方法であって、
第１のアップコンバートされた通信信号を生成することと、
前記構成可能な増幅器の動作モードを選択することと、
前記構成可能な増幅器が第１のモードで動作するように選択されるとき、前記第１のアップコンバートされた通信信号の実質的に９０度位相シフトされたバージョンとなる第２のアップコンバートされた通信信号を生成することと、
前記構成可能な増幅器が第２のモードで動作するように選択されるとき、前記第１のアップコンバートされた通信信号と実質的に同一となる前記第２のアップコンバートされた通信信号を生成することと、
によって、前記選択された動作モードに少なくとも部分的に基づいて、前記第２のアップコンバートされた通信信号を生成することと、
加算ノードにおいて、前記第１のアップコンバートされた通信信号および前記第２のアップコンバートされた通信信号に少なくとも部分的に基づいて、前記構成可能な増幅器のための出力信号を生成することと、
を備える、方法。
【請求項２２】
前記第１のアップコンバートされた通信信号は、第１のローカル発振器信号に少なくとも部分的に基づき、前記第２のアップコンバートされた通信信号は、第２のローカル発振器信号に少なくとも部分的に基づく、請求項２１に記載の方法。
【請求項２３】
前記構成可能な増幅器が前記第１のモードで動作するように選択されるとき、前記第２のローカル発振器信号を、前記第１のローカル発振器信号の実質的に９０度位相シフトされたバージョンとして生成することと、
前記構成可能な増幅器が前記第２のモードで動作するように選択されるとき、前記第２のローカル発振器信号を、前記第１のローカル発振器信号と実質的に同一なものとして生成することと、
をさらに備える、請求項２２に記載の方法。
【請求項２４】
前記構成可能な増幅器が前記第１のモードで動作するように選択されるとき、前記第２のアップコンバートされた通信信号は、前記出力信号の少なくとも二次高調波をキャンセルすることになり、
前記構成可能な増幅器が前記第２のモードで動作するように選択されるとき、前記第２のアップコンバートされた通信信号は、前記出力信号の大きさを増加させることになる、
請求項２１に記載の方法。
【請求項２５】
前記選択することは、
前記出力信号が減衰された第２の高調波コンポーネントを有するべきであるとき、前記第１のモードを選択することと、
前記出力信号が減衰されていない第２の高調波コンポーネントを有するべきであるとき、前記第２のモードを選択することと、
を備える、請求項２１に記載の方法。
【請求項２６】
少なくとも構成可能な増幅器を備えるワイヤレスデバイスの１つまたは複数のプロセッサによって実行されると、前記ワイヤレスデバイスに、
第１のアップコンバートされた通信信号を生成することと、
前記構成可能な増幅器の動作モードを選択することと、
前記構成可能な増幅器が第１のモードで動作するように選択されるとき、前記第１のアップコンバートされた通信信号の実質的に９０度位相シフトされたバージョンとなる第２のアップコンバートされた通信信号を生成することと、
前記構成可能な増幅器が第２のモードで動作するように選択されるとき、前記第１のアップコンバートされた通信信号と実質的に同一となる前記第２のアップコンバートされた通信信号を生成することと、
によって、前記選択された動作モードに少なくとも部分的に基づいて、前記第２のアップコンバートされた通信信号を生成することと、
加算ノードにおいて、前記第１のアップコンバートされた通信信号および前記第２のアップコンバートされた通信信号に少なくとも部分的に基づいて、前記構成可能な増幅器のための出力信号を生成することと、
を行わせる命令を記憶した、非一時的なコンピュータ読み取り可能な媒体。
【請求項２７】
前記第１のアップコンバートされた通信信号は、第１のローカル発振器信号に少なくとも部分的に基づき、前記第２のアップコンバートされた通信信号は、第２のローカル発振器信号に少なくとも部分的に基づく、請求項２６に記載の非一時的なコンピュータ読み取り可能な媒体。
【請求項２８】
前記１つまたは複数のプロセッサによる前記命令の実行は、前記ワイヤレスデバイスに、
前記構成可能な増幅器が前記第１のモードで動作するように選択されるとき、前記第２のローカル発振器信号を、前記第１のローカル発振器信号の実質的に９０度位相シフトされたバージョンとして生成することと、
前記構成可能な増幅器が前記第２のモードで動作するように選択されるとき、前記第２のローカル発振器信号を、前記第１のローカル発振器信号と実質的に同一なものとして生成することと、
を行わせる、請求項２７に記載の非一時的なコンピュータ読み取り可能な媒体。
【請求項２９】
前記構成可能な増幅器が前記第１のモードで動作するように選択されるとき、前記第２のアップコンバートされた通信信号は、前記出力信号の少なくとも二次高調波をキャンセルすることになり、
前記構成可能な増幅器が前記第２のモードで動作するように選択されるとき、前記第２のアップコンバートされた通信信号は、前記出力信号の大きさを増加させることになる、
請求項２６に記載の非一時的なコンピュータ読み取り可能な媒体。
【請求項３０】
前記動作モードを選択するための前記命令の実行は、前記ワイヤレスデバイスに、
前記出力信号が減衰された第２の高調波コンポーネントを有するべきであるとき、前記第１のモードを選択することと、
前記出力信号が減衰されていない第２の高調波コンポーネントを有するべきであるとき、前記第２のモードを選択することと、
を行わせる、請求項２６に記載の非一時的なコンピュータ読み取り可能な媒体。
【発明の詳細な説明】
【技術分野】
【０００１】
[0001]  本実施形態は、一般に通信デバイスに関し、具体的には、高調波ひずみ（harmonic distortion）を低減させながら信号を増幅し得る通信デバイス内の増幅器に関する。
【背景技術】
【０００２】
[0002]  通信デバイスは、通信媒体を通して通信データを送信および受信し得る。一例では、通信媒体は、ワイヤレス通信プロトコルに従って通信データが通信デバイスによって送信および受信される、ワイヤレス通信媒体であり得る。例示的なワイヤレス通信プロトコルは、Ｂｌｕｅｔｏｏｔｈ（登録商標）スペシャルインタレストグループ（the Bluetooth（登録商標） Special Interest Group）によるＢｌｕｅｔｏｏｔｈプロトコルおよびＩＥＥＥ８０２．１１プロトコルを含み得る。別の例では、通信媒体は、ワイヤベースの通信プロトコルに従って通信データが送信および受信される、ワイヤード通信媒体であり得る。いくつかの例示的なワイヤベースのプロトコルは、ホームプラグ２．０仕様書に説明される電力線通信プロトコルおよび／またはイーサネット（登録商標）プロトコルを含み得る。さらに別の例では、通信媒体は、ワイヤードおよびワイヤレス通信媒体のハイブリッドの組合せ（hybrid combination）であり得る。
【０００３】
[0003]  通信デバイス内のアナログ信号は、様々な処理動作の間に、増幅をされ（undergo amplification）得る。例えば、アナログ信号は、通信信号が別の通信デバイスから受信される、または別の通信デバイスに送信されるとき、増幅され得る。一部のケースでは、アナログ信号が増幅されるとき、不必要な（unwanted）信号が増幅された信号に導入（例えば、追加）され得る。例えば、第１の信号が増幅されるとき、第１の信号の不必要な高調波である第２の信号もまた増幅され得る。不必要な信号は、増幅された信号を歪め（distort）得、よって増幅された信号の精度を低下（reducing）させ、増幅された信号を受信することおよび増幅された信号内のデータを復号することの困難さを増す。一部のケースでは、不必要な信号が、高感度の（sensitive）受信および／または送信回路へと結合（couple into）され、通信データの送信および／または受信と干渉し得る。
【０００４】
[0004]  したがって、不必要な信号の増幅を抑制する一方でアナログ信号の増幅を改善し、それにより通信デバイスのパフォーマンスを改善させる必要がある。
【発明の概要】
【０００５】
[0005]  この発明の概要は、以下の詳細な説明でさらに説明される概念のセレクションを、簡略化された形式で紹介するために提供される。この発明の概要は、特許請求される主題事項の重要な特徴または不可欠な特徴を特定するように意図したものではなく、また特許請求された主題事項の範囲を限定するように意図したものでもない。
【０００６】
[0006]  構成可能な増幅器および動作の方法が開示される。構成可能な増幅器は、通信信号の第２の高調波コンポーネントをキャンセルまたは減衰させながら通信信号を増幅し得る。一実施形態では、構成可能な増幅器は、第１のアップコンバートされた通信信号を生成するための第１の処理チェーンと、第２のアップコンバートされた通信信号を生成するための第２の処理チェーンと、第１のアップコンバートされた通信信号および第２のアップコンバートされた通信信号に少なくとも部分的に基づいて、構成可能な増幅器の出力信号を生成するための加算ノード（a summing node）とを含み得る。構成可能な増幅器が第１のモードで動作することになるとき、第２のアップコンバートされた通信信号は、第１のアップコンバートされた通信信号の実質的に９０度位相シフトされたバージョン（a substantially ninety degree phase-shifted version of）である。構成可能な増幅器が第２のモードで動作することになるとき、第２のアップコンバートされた通信信号は、第１のアップコンバートされた通信信号と実質的に同様である。
【０００７】
[0007]  ワイヤレス通信デバイスが開示される。ワイヤレス通信デバイスは、ベースバンドプロセッサと、通信信号を増幅するための、ベースバンドプロセッサに結合された構成可能な増幅器を含み得、構成可能な増幅器は、第１のアップコンバートされた通信信号を生成するための第１の処理チェーンと、第２のアップコンバートされた通信信号を生成するための第２の処理チェーンと、第１のアップコンバートされた通信信号および第２のアップコンバートされた通信信号に少なくとも部分的に基づいて、構成可能な増幅器の出力信号を生成するための加算ノードとを含む。構成可能な増幅器が第１のモードで動作することになるとき、第２のアップコンバートされた通信信号は、第１のアップコンバートされた通信信号の実質的に９０度位相シフトされたバージョンである。構成可能な増幅器が第２のモードで動作することになるとき、第２のアップコンバートされた通信信号は、第１のアップコンバートされた通信信号と実質的に同様である。
【図面の簡単な説明】
【０００８】
[0008]  本実施形態は、例として例示されており、添付の図面の図によって限定されるようには意図されていない。同様の番号は、図面および明細書の全体を通して同様の要素を指す。
【図１】[0009]  図１は、例示的な実施形態がインプリメント（implemented）され得る例示的な通信システムを表す。
【図２】[0010]  図２は、例示的な実施形態による、構成可能な増幅器の概略図を示す。
【図３】[0011]  図３は、例示的な実施形態による、モードコントローラのブロック図である。
【図４】[0012]  図４は、図１のワイヤレスデバイスの１つの実施形態であるワイヤレスデバイスを示す。
【図５】[0013]  図５は、例示的な実施形態による、構成可能な増幅器を動作させるための例示的な動作を表す例示的なフローチャートを示す。
【詳細な説明】
【０００９】
[0014]  本実施形態は、簡潔性のためだけに、以下ではＷｉ−Ｆｉ対応のデバイスの文脈で説明される。本実施形態は、他の様々なワイヤレス規格またはプロトコルの信号を使用するデバイスにも等しく適用可能であることは理解されるべきである。ここで使用される場合、「ワイヤレスローカルエリアネットワーク（ＷＬＡＮ）」および「Ｗｉ−Ｆｉ」という用語は、ＩＥＥＥ８０２．１１規格、ＢＬＵＥＴＯＯＴＨ（登録商標）、ＨｉｐｅｒＬＡＮ（主に欧州で使用される、ＩＥＥＥ８０２．１１規格に相当するワイヤレス規格のセット）、およびワイヤレス通信で使用される他の技術（例えば、ＺｉｇＢｅｅおよびＷｉＧｉｇ）によって管理（governed by）される通信を含むことができる。
【００１０】
[0015]  以下の説明では、本開示の完全な理解を提供するために、特定のコンポーネント、回路、および処理の例などの非常に多くの特定の詳細が説明される。ここで使用される場合「結合される」という用語は、１つまたは複数の介在する（intervening）コンポーネントまたは回路を通して結合されるまたは直接的に結合されることを意味する。また、以下の説明では、説明のため、本実施形態の完全な理解を提供するために特定の学術用語が説明される。しかしながら、本実施形態を実施するためにこれらの特定の詳細が必要とされない可能性があることは、当業者には明らかであるだろう。他の事例では、周知の回路およびデバイスは、本開示を不明瞭にすることを避けるために、ブロック図の形式で示される。ここに説明される様々なバスを介して提供される信号のいずれも、他の信号と時間多重化（time-multiplexed with）され、１つまたは複数の共通バスを介して提供され得る。さらに、回路要素またはソフトウェアブロック間の相互接続は、複数のバスまたは単一の信号線として示され得る。これらのバスの各々は、代替的に単一の信号線であり得、単一の信号線の各々は、代替的に複数のバスであり得、単一の線またはバスは、コンポーネント間の通信のための無数の物理または論理メカニズムのうちのいずれの１つまたは複数も表す可能性がある。本実施形態は、ここに説明される特定の例に限定されるように解釈されるべきではなく、むしろ添付の特許請求の範囲によって定義されるすべての実施形態をそれらの範囲内に含む。
【００１１】
[0016]  図１は、例示的な実施形態がインプリメントされ得る例示的な通信システム１００を表す。通信システム１００はワイヤレスシステムであり得、ワイヤレスデバイス１０２およびワイヤレスデバイス１０３を含み得る。簡潔さのために、２つのワイヤレスデバイス１０２および１０３のみが示されているが、通信システム１００は、任意の数のワイヤレスデバイスを含み得る。他の実施形態では、通信システム１００はワイヤードシステムであり得、ワイヤまたはケーブル（簡潔さのために示されていない）に結合されたワイヤードデバイスを含み得る。さらに他の実施形態では、通信システム１００は、ハイブリッドシステムであり得、ワイヤレスデバイスとワイヤードデバイスとの両方を含み得る。
【００１２】
[0017]  ワイヤレスデバイス１０２は、トランシーバ１２０、ベースバンドプロセッサ１１０、およびアンテナ１６０を含み得る。簡潔さのために示されていないが、ワイヤレスデバイス１０２は、複数のアンテナを含み得る。ベースバンドプロセッサ１１０は、トランシーバ１２０およびアンテナ１６０を介して、１つまたは複数の他のデバイスに送信されることになるデータを提供し得る、および／または、１つまたは複数の他のデバイスからデータを受信し得る。例えば、ベースバンドプロセッサ１１０は、トランシーバ１２０による送信および／または受信のための通信データを符号化および／または復号し得る。
【００１３】
[0018]  トランシーバ１２０は、デジタルプロセッサ１４０およびアナログプロセッサ１３０を含み得る。デジタルプロセッサ１４０は、ベースバンドプロセッサ１１０から通信データを受け取り得る、およびベースバンドプロセッサ１１０に通信データを提供し得る。いくつかの実施形態では、通信データは、Ｗｉ−Ｆｉ、ＢＬＵＥＴＯＯＴＨ、近距離（near-field）通信、Ｚｉｇ−Ｂｅｅ、または任意の他の実現可能なワイヤレス通信プロトコルのようなワイヤレス通信プロトコルに従って処理され得る。他の実施形態では、通信データは、イーサネット、電力線通信（ＰＬＣ）、または任意の他の実現可能なワイヤード通信プロトコルのようなワイヤードプロトコルに従って処理され得る。さらに他の実施形態では、通信データは、ワイヤレス通信プロトコルとワイヤード通信プロトコルとの両方に従って処理され得る。
【００１４】
[0019]  いくつかの実施形態では、アナログプロセッサ１３０は、デジタルプロセッサ１４０に、およびアンテナ１６０に、結合され得る。アナログプロセッサ１３０は、デジタルプロセッサ１４０へのおよび／またはからの通信データを処理し得る。例えば、アナログプロセッサ１３０は、アンテナ１６０を通した送信のためにデジタルプロセッサ１４０からの通信データを処理し得る、および／またはアナログプロセッサ１３０は、アンテナ１６０を通して受信された通信データを処理してデジタルプロセッサ１４０に提供し得る。
【００１５】
[0020]  アナログプロセッサ１３０は、１つまたは複数の通信信号を増幅するための構成可能な増幅器１３５を含み得る。例えば、構成可能な増幅器１３５は、アンテナ１６０を通して受信された通信信号を増幅し得る。別の例では、構成可能な増幅器１３５は、アンテナ１６０から送信される通信信号を増幅し得る。いくつかの実施形態では、構成可能な増幅器１３５は、通信信号の不必要な高調波を抑制しながら通信信号を増幅し得る。構成可能な増幅器１３５の動作は、図２と併せて以下により詳細に説明される。
【００１６】
[0021]  当業者は、構成可能な増幅器１３５のような増幅器の出力信号は、以下の方程式１に示される形式のべき級数（a power series）で説明され得ることを認識するだろう。
【数１】
2018514143.tif 000003
ここで、      ｇｍ（Ｓ１）ｃｏｓθは、出力信号の第１の高調波（例えば、所望の信号）であり、
ｇｍ２（Ｓ１）２ｃｏｓ２θは、出力信号の第２の高調波であり、
ｇｍ３（Ｓ１）３ｃｏｓ３θは、出力信号の第３の高調波であり、その他も同様である（and so forth）。
【００１７】
[0022]  「ｇｍ」という用語は、第１の高調波に関連する増幅器の利得を表し得、「ｇｍ２」という用語は、第２の高調波に関連する増幅器の利得を表し得、その他も同様である。増幅器への入力信号は、「（Ｓ１）ｃｏｓθ」という用語で表わされ得る。
【００１８】
[0023]  いくつかの実施形態では、第２の高調波コンポーネント（例えば、出力信号の第２の高調波）に関連する影響を減らす（reduce）ために、出力信号は、入力信号（Ｓ１）ｃｏｓθおよび九十（９０）度シフトされた入力信号のバージョン（例えば、（Ｓ１）ｓｉｎθ）に基づき得る。方程式１は、以下の方程式２に示されるように、入力信号（Ｓ１）ｃｏｓθ（例えば、元の入力信号）と（Ｓ１）ｓｉｎθ（例えば、９０度シフトされた元の入力信号）との関数として出力信号を表す（express）ように書き換えられ得る（注記：方程式２は、第１のおよび第２の高調波の項（terms）のみを含むように簡略化されている）。
【数２】
2018514143.tif 000004
【００１９】
[0024]  方程式２は、以下で方程式３に示されるように、第１の高調波および第２の高調波の項を組み合わせるように書き換えられ得る。
【数３】
2018514143.tif 000005
【００２０】
[0025]  方程式３を単純化すると以下のようになる。
【数４】
2018514143.tif 000006
ここで、      ｇｍ１（Ｓ１）（ｃｏｓθ＋ｓｉｎθ）は、第１の高調波に関連し、
ｇｍ２（Ｓ１）２は、第２の高調波に関連する。
【００２１】
[0026]  第２の高調波コンポーネントに関連する項は、定数（constant）であるように簡略化されたので、もはや周波数に依存しないことに注目されたい。言い換えれば、第２の高調波ひずみに関連する信号は、入力信号および入力信号の９０度シフトされたバージョンが増幅器によって実質的に同時に処理されるとき、キャンセルされるかまたは実質的に低減され得る。第１の高調波コンポーネントに関連する項は、例えば、第１の高調波コンポーネントの振幅の変化を示すように、「ｇｍ１（Ｓ１）ｃｏｓθ」から「ｇｍ１（Ｓ１）（ｃｏｓθ＋ｓｉｎθ）」に変化したことにも注目されたい。
【００２２】
[0027]  図２は、例示的な実施形態による、構成可能な増幅器２００の概略図を示す。構成可能な増幅器２００は、図１の構成可能な増幅器１３５の別の実施形態であり得る。構成可能な増幅器２００は、第１の処理経路Ｐ１および第２の処理経路Ｐ２を含み得る。第１の処理経路Ｐ１は、第１のミキサ２１０、第２のミキサ２１５、第１のバッファ２３０、第１の加算ノード２１７、および第１のトランジスタのペア２６０を含み得る。第２の処理経路Ｐ２は、第３のミキサ２２０、第４のミキサ２２５、第１のローカル発振器（ＬＯ）信号セレクタ２４５、第２のＬＯ信号セレクタ２４６、第２のバッファ２３５、第２の加算ノード２２７、および第２のトランジスタのペア２６１を含み得る。第１のトランジスタのペア２６０は、第３の加算ノード２４１において第２のトランジスタのペア２６１に結合され得る。
【００２３】
[0028]  第１の処理経路Ｐ１は、第１のアップコンバートされた通信信号２７４を生成し得、第２の処理経路Ｐ２は、第２のアップコンバートされた通信信号２７６を生成し得る。第３の加算ノード２４１は、構成可能な増幅器の出力信号２７５を生成するために、第１のアップコンバートされた通信信号２７４と第２のアップコンバートされた通信信号２７６とを合計し得る。
【００２４】
[0029]  構成可能な増幅器２００は、通常モードで、またはキャンセリングモードで、動作し得る。構成可能な増幅器２００が通常モードで動作するとき、第２のアップコンバートされた通信信号２７６は、第１のアップコンバートされた通信信号２７４と実質的に同様であり得る。したがって、構成可能な増幅器２００が通常モードで動作するとき、第３の加算ノード２４１は、構成可能な増幅器の出力信号２７５を生成するために、第１のアップコンバートされた通信信号２７４と第２のアップコンバートされた通信信号２７６（第１のアップコンバートされた通信信号２７４と実質的に同様な）とを合計し得る。
【００２５】
[0030]  構成可能な増幅器２００がキャンセリングモードで動作するとき、第２の処理経路Ｐ２は、第１の処理経路Ｐ１によって生成される第１のアップコンバートされた通信信号２７４の９０度位相シフトされたバージョンとなる第２のアップコンバートされた通信信号２７６を生成し得る。したがって、構成可能な増幅器２００がキャンセリングモードで動作するとき、第３の加算ノード２４１は、第１のアップコンバートされた通信信号２７４と第１のアップコンバートされた通信信号２７４の９０度位相シフトされたバージョンとを合計し得る。構成可能な増幅器の出力信号２７５として示される、結果的な合計された信号は、（方程式４に少なくとも部分的に基づいた）キャンセルされたまたは低減された第２の高調波ひずみを有し得る。
【００２６】
[0031]  したがって、以下により詳細に説明されるように、構成可能な増幅器２００がキャンセリングモードで動作するとき、第２のアップコンバートされた通信信号２７６は、構成可能な増幅器の出力信号２７５の少なくとも二次高調波（second-order harmonics）をキャンセルし得、構成可能な増幅器２００が通常モードで動作するとき、第２のアップコンバートされた通信信号２７６は、構成可能な増幅器の出力信号２７５の大きさ（magnitude）を（例えば、構成可能な増幅器２００がキャンセリングモードで動作するときの出力信号の大きさに比べて）増加させ得る。
【００２７】
[0032]  第１の処理経路Ｐ１は、ＬＯ信号とベースバンド信号とを混合し得る。いくつかの実施形態では、ＬＯ信号およびベースバンド信号は、直交信号であり得る。例えば、ＬＯ信号は、ＬＯ同相（Ｉ）信号２０１およびＬＯ直交（Ｑ）信号２０３を含み得る。同様の方法で、ベースバンド信号は、ベースバンド同相（Ｉ）信号２０２およびベースバンド直交（Ｑ）信号２０４を含み得る。第１のミキサ２１０は、第１の加算ノード２１７に提供され得る第１のミキサ出力信号を生成するために、ＬＯ（Ｉ）信号２０１とベースバンド（Ｉ）信号２０２とを「混合」（例えば、掛け合わせ）得る。同様の方法で、第２のミキサ２１５は、第１の加算ノード２１７に提供され得る第２のミキサ出力信号を生成するために、ＬＯ（Ｑ）信号２０３とベースバンド（Ｑ）信号２０４とを混合し得る。第１のミキサ２１０および第２のミキサ２１５からの出力信号は、第１の加算ノード２１７において合計され得、結果的な合計された信号が、第１のバッファ２３０に提供され得る。
【００２８】
[0033]  第１のバッファ２３０は、第１のトランジスタのペア２６０に結合され得る。第１のトランジスタのペア２６０は、第１のバッファ２３０からの出力信号を増幅および／またはバッファし得る。第１のトランジスタのペア２６０は、カスコードペアとして構成される第１のトランジスタＱ１および第２のトランジスタＱ２を含み得る。いくつかの実施形態では、第２のトランジスタＱ２は、バイアス電圧ＶＢ１に結合されたゲート端子を含み得る。第１のトランジスタＱ１のゲート端子は、第１のバッファ２３０によって提供される出力信号を受け取り得、第２のトランジスタＱ２のドレイン端子は、第３の加算ノード２４１に、第１のトランジスタのペア２６０からの出力信号（例えば、第１のアップコンバートされた通信信号２７４）を提供し得る。
【００２９】
[0034]  第３の加算ノード２４１は、出力インダクタ２４２に結合され得る。出力インダクタ２４２は、第３の加算ノード２４１から構成可能な増幅器の出力信号２７５を受け取り得、および出力インダクタ２４２は、他の回路またはデバイス（簡潔さのために示されていない）に結合され得る。例えば、出力インダクタ２４２は、アンテナ、バラン、結合器、または任意の他の技術的に実現可能なデバイスに結合され得る。したがって、いくつかの実施形態では、構成可能な増幅器の出力信号２７５は、出力インダクタ２４２を通して他の回路またはデバイスに提供され得る。
【００３０】
[0035]  ＮＭＯＳトランジスタで表されているが、第１のトランジスタのペア２６０の他の実施形態は、任意の他の技術的に実現可能なトランジスタタイプを含み得る。例えば、第１のトランジスタＱ１および／または第２のトランジスタＱ２は、ＰＭＯＳ、ＮＰＮ、および／またはＰＮＰトランジスタ（簡潔さのために示されていない）であり得る。さらに他の実施形態では、第１のトランジスタのペア２６０は、第１のバッファ２３０または第１の加算ノード２１７からの出力信号を増幅および／またはバッファするための他のデバイスに置き換えられ得る。例えば、第１のトランジスタのペア２６０は、反転増幅器、電圧バッファ、電流バッファ、演算増幅器、または任意の他の技術的に実現可能な増幅器に置き換えられ得る。
【００３１】
[0036]  同様の方法で、構成可能な増幅器２００が通常モードで動作するとき、第２の処理経路Ｐ２はまた、ベースバンド信号とＬＯ信号とを混合し得る。例えば、ＬＯ（Ｉ）信号２０１が、第１のＬＯ信号セレクタ２４５（ＬＯ選択信号２４０によって制御される）によって選択され、第３のミキサ２２０に提供され得る。第１のＬＯ信号セレクタ２４５は、スイッチ、トランジスタ、マルチプレクサ、および／または、ＬＯ（Ｉ）信号２０１のような信号を選択するための任意の他の技術的に実現可能なデバイスおよび／またはコンポーネントを含み得る。第３のミキサ２２０は、ＬＯ（Ｉ）信号２０１とベースバンド（Ｉ）信号２０２とを混合し、第３のミキサ出力信号を第２の加算ノード２２７に提供し得る。ＬＯ（Ｑ）信号２０３が、第２のＬＯ信号セレクタ２４６（ＬＯ選択信号２４０によって制御される）によって選択され、第４のミキサ２２５に提供され得る。第４のミキサ２２５は、ＬＯ（Ｑ）信号２０３とベースバンド（Ｑ）信号２０４とを混合し、第４のミキサ出力信号を第２の加算ノード２２７に提供し得る。第３のミキサ２２０および第４のミキサ２２５からの出力信号は、第２の加算ノード２２７において合計され得、結果的な合計された信号が、第２のバッファ２３５に結合され得る。
【００３２】
[0037]  第２のバッファ２３５は、第２のトランジスタのペア２６１に結合され得る。第２のトランジスタのペア２６１は、第２のバッファ２３５からの出力信号を増幅および／またはバッファし得る。第２のトランジスタのペア２６１は、カスコードペアとして構成される第３のトランジスタＱ３および第４のトランジスタＱ４を含み得る。いくつかの実施形態では、第４のトランジスタＱ４は、バイアス電圧ＶＢ２に結合されたゲート端子を含み得る。第３のトランジスタＱ３のゲート端子は、第２のバッファ２３５からの出力信号を受け取り得、第４のトランジスタＱ４のドレイン端子は、第３の加算ノード２４１に、第２のトランジスタのペア２６１からの出力信号（例えば、第２のアップコンバートされた通信信号２７６）を提供し得る。
【００３３】
[0038]  第２のトランジスタのペア２６１からの第２のアップコンバートされた通信信号２７６は、第３の加算ノード２４１に結合され得る。したがって、第３の加算ノード２４１は、第１のアップコンバートされた通信信号２７４と第２のアップコンバートされた通信信号２７６とを合計し、それにより第１の処理経路Ｐ１および第２の処理経路Ｐ２からの出力信号を合計し得る。
【００３４】
[0039]  構成可能な増幅器２００が通常モードで動作するとき、第１の処理経路Ｐ１および第２の処理経路Ｐ２は、第３の加算ノード２４１において合計され得る実質的に同様の信号を、各々生成し得る。例えば、ＬＯ信号（同相コンポーネントと直交コンポーネントとの両方を含む）は、以下に示される方程式５によって表され得る。
【数５】
2018514143.tif 000007
ここで、      −ｓｉｎαは、ＬＯ（Ｉ）信号２０１に関連し、
ｃｏｓαは、ＬＯ（Ｑ）信号２０３に関連する。
【００３５】
[0040]  このように、ＬＯ（Ｉ）信号２０１とＬＯ（Ｑ）信号２０３との間の直交関係（the quadrature relationship）は、方程式５でコサインおよびサイン項で表され得る。同様の方法で、ベースバンド信号は、以下に示される方程式６によって表され得る。
【数６】
2018514143.tif 000008
ここで、      ｓｉｎβは、ベースバンド（Ｉ）信号２０２に関連し、
ｃｏｓβは、ベースバンド（Ｑ）信号２０４に関連する。
【００３６】
[0041]  このように、ベースバンド（Ｉ）信号２０２とベースバンド（Ｑ）信号２０４との間の直交関係は、方程式６でサインおよびコサイン項によって説明され得る。
【００３７】
[0042]  第１の処理経路Ｐ１からの出力信号は、以下に示される方程式７によって表され得る。
【数７】
2018514143.tif 000009
ここで、      ｃｏｓαｃｏｓβは、ベースバンド（Ｑ）信号２０４との混合のＬＯ（Ｑ）信号２０３に関連し、
ｓｉｎαｓｉｎβは、ベースバンド（Ｉ）信号２０２との混合のＬＯ（Ｉ）信号２０１に関連する。
【００３８】
[0043]  構成可能な増幅器２００が通常モードで動作するとき、第１のアップコンバートされた通信信号２７４および第２のアップコンバートされた通信信号２７６は、実質的に同様である。構成可能な増幅器の出力信号２７５は、第１の処理経路Ｐ１および第２の処理経路Ｐ２からの同様の出力信号の合計に基づき得るので、構成可能な増幅器の出力信号２７５は、以下に示される方程式８によって表され得る。
【数８】
2018514143.tif 000010
【００３９】
[0044]  このように、第１のアップコンバートされた通信信号２７４および第２のアップコンバートされた通信信号２７６は実質的に同様であり、第３の加算ノード２４１において合計されるので、構成可能な増幅器の出力信号２７５の大きさは、構成可能な増幅器２００がキャンセリングモードで動作するときの出力信号の大きさと比較して増加され得る。
【００４０】
[0045]  方程式４と関連して上述したように、出力信号の第２の高調波コンポーネントは、第１の信号と第１の信号の９０度位相シフトされたバージョンとを加算（adding）することによって低減またはキャンセルされ得る。したがって、構成可能な増幅器２００がキャンセリングモードで動作するとき、第２の処理経路Ｐ２は、第１の処理経路Ｐ１によって提供される第１のアップコンバートされた通信信号２７４の９０度位相シフトされたバージョンとなる第２のアップコンバートされた通信信号２７６を生成するように構成され得る。いくつかの実施形態では、第２の処理経路Ｐ２で使用されるＬＯ信号は、第１の処理経路Ｐ１で使用されるＬＯ信号に対して９０度位相シフトされ得る。例えば、ＬＯ（Ｉ）信号２０１は、ＬＯ＿シフトされた（Ｉ）信号２０５に置き換えられ得、ＬＯ（Ｑ）信号２０３は、ＬＯ＿シフトされた（Ｑ）信号２０６に置き換えられ得る。いくつかの実施形態では、ＬＯ＿シフトされた（Ｉ）信号２０５およびＬＯ＿シフトされた（Ｑ）信号２０６は、それぞれＬＯ（Ｉ）信号２０１およびＬＯ（Ｑ）信号２０３の９０度位相シフトされたバージョンであり得る。位相シフトされたＬＯ信号は、第２の処理経路Ｐ２からの出力信号が、第１の処理経路Ｐ１からの出力信号の位相シフトされたバージョンになるようにし得る。
【００４１】
[0046]  構成可能な増幅器２００がキャンセリングモードで動作するとき、第２の処理経路Ｐ２は、ベースバンド信号とシフトされたＬＯ信号とを混合し得る。例えば、ＬＯ＿シフトされた（Ｉ）信号２０５が第１のＬＯ信号セレクタ２４５によって選択され、第３のミキサ２２０に提供され得る。第３のミキサ２２０は、ＬＯ＿シフトされた（Ｉ）信号２０５とベースバンド（Ｉ）信号２０２とを混合し、第３のミキサ出力信号を第２の加算ノード２２７に提供し得る。ＬＯ＿シフトされた（Ｑ）信号２０６が第２のＬＯ信号セレクタ２４６によって選択され、第４のミキサ２２５に提供され得る。第４のミキサ２２５は、ＬＯ＿シフトされた（Ｑ）信号２０６とベースバンド（Ｑ）信号２０４とを混合し、第４のミキサ出力信号を第２の加算ノード２２７に提供し得る。第３のミキサ２２０および第４のミキサ２２５からの出力信号は、第２の加算ノード２２７において合計され得、結果的な合計された信号が、第２のバッファ２３５に提供される。
【００４２】
[0047]  第１のトランジスタのペア２６０から出力される第１のアップコンバートされた通信信号２７４と第２のトランジスタのペア２６１から出力される第２のアップコンバートされた通信信号２７６とは、第３の加算ノード２４１において合計され得る。方程式５を再度参照し、９０度位相シフトされたＬＯ信号は、以下に示される方程式９によって表され得る。
【数９】
2018514143.tif 000011
ここで、      ｃｏｓαは、ＬＯ＿シフトされた（Ｉ）信号２０５に関連し、
ｓｉｎαは、ＬＯ＿シフトされた（Ｑ）信号２０６に関連する。
【００４３】
[0048]  ベースバンド信号は、なおも方程式６によって表され得る。構成可能な増幅器２００がキャンセリングモードで動作するとき、第２の処理経路Ｐ２は、以下に示される方程式１０によって説明される出力信号を生成し得る。
【数１０】
2018514143.tif 000012
ここで、      ｓｉｎαｃｏｓβは、ベースバンド（Ｑ）信号２０４との混合のＬＯ＿シフトされた（Ｑ）信号２０６に関連し、
ｃｏｓαｓｉｎβは、ベースバンド（Ｉ）信号２０２との混合のＬＯ＿シフトされた（Ｉ）信号２０５に関連する。
【００４４】
[0049]  第１の処理経路Ｐ１についての出力信号（方程式７）は、以下のように書き換えられ得る。
【数１１】
2018514143.tif 000013
【００４５】
[0050]  同様の方法で、第２の処理経路Ｐ２についての出力信号（方程式１０）は、以下のように書き換えられ得る。
【数１２】
2018514143.tif 000014
【００４６】
[0051]  したがって、構成可能な増幅器の出力信号２７５は、以下の方程式１３によって表され得る。
【数１３】
2018514143.tif 000015
【００４７】
[0052]  言い換えれば、構成可能な増幅器２００がキャンセリングモードで動作するとき、構成可能な増幅器の出力信号２７５は、第１の信号（例えば、ｓｉｎ（α＋β））および第１の信号の９０度位相シフトされたバージョン（例えば、ｃｏｓ（α＋β））に少なくとも部分的に基づく。したがって、構成可能な増幅器の出力信号２７５は、低減されたまたはキャンセルされた第２の高調波コンポーネントを有し得る。
【００４８】
[0053]  図３は、例示的な実施形態によるモードコントローラ３００のブロック図である。構成可能な増幅器２００の要素（例えば、図２に関して説明された参照番号付きの要素）がモードコントローラ３００の説明を援助するために以下で参照されるが、簡潔性のために、図３からは省略されている。モードコントローラ３００は、制御ブロック３１０および信号ジェネレータ３２０を含み得る。制御ブロック３１０は、モード制御信号３１５を、構成可能な増幅器２００を上述したような通常動作モードまたはキャンセリングモードで動作させ得る状態に駆動（drive）し得る。いくつかの実施形態では、制御ブロック３１０は、構成可能な増幅器の出力信号２７５の第２の高調波コンポーネントのキャンセリングがほとんどまたは全く望まれないとき、モード制御信号３１５を、構成可能な増幅器２００を通常動作モードで動作させ得る第１の状態に、駆動し得る。制御ブロック３１０は、構成可能な増幅器の出力信号２７５の第２の高調波コンポーネントのキャンセリングまたは低減が望ましいとき、モード制御信号３１５を、構成可能な増幅器２００をキャンセリングモードで動作させ得る第２の状態に、駆動し得る。例えば、構成可能な増幅器２００のための入力信号の特性周波数（characteristic frequency）に基づいて、構成可能な増幅器の出力信号２７５の第２の高調波コンポーネントは、ワイヤレスデバイス１０２内の１つまたは複数のデバイスおよび／または回路と干渉し得る。したがって、構成可能な増幅器２００は、第２の高調波コンポーネントを低減させるまたはキャンセルする、および、任意の関連した干渉を低減させるために、キャンセリングモードで動作され得る。
【００４９】
[0054]  信号ジェネレータ３２０は、モード制御信号３１５を受け取り得、それに応答して、ＬＯ選択信号２４０を生成し得る。例えば、いくつかの実施形態では、構成可能な増幅器２００が通常モードで動作するとき、第１のＬＯ信号セレクタ２４５および第２のＬＯ信号セレクタ２４６がＬＯ（Ｉ）信号２０１およびＬＯ（Ｑ）信号２０３をそれぞれ選択することを可能にするために、ＬＯ選択信号２４０は、アサートされない可能性があるおよび／または低い論理（logic）レベル（または第１の論理（logical）状態）にあり得る。構成可能な増幅器２００がキャンセリングモードで動作するとき、第１のＬＯ信号セレクタ２４５および第２のＬＯ信号セレクタ２４６がＬＯ＿シフトされた（Ｉ）信号２０５およびＬＯ＿シフトされた（Ｑ）信号２０６をそれぞれ選択することを可能にするために、ＬＯ選択信号２４０は、アサートされ得るおよび／または高い論理レベル（または、第２の論理状態）にあり得る。
【００５０】
[0055]  図４は、図１のワイヤレスデバイス１０２および／または１０３の１つの実施形態であるワイヤレスデバイス４００を示す。ワイヤレスデバイス４００は、トランシーバ４１０、プロセッサ４３０、メモリ４４０、および１つまたは複数のアンテナ４５０を含む。トランシーバ４１０は、通信信号を送信および受信し得る。トランシーバ４１０は、トランシーバ４１０に関連する通信信号を増幅するための構成可能な増幅器４２０を含み得る。いくつかの実施形態については、構成可能な増幅器４２０は、図１の構成可能な増幅器１３５および／または図２の構成可能な増幅器２００の別の実施形態であり得る。
【００５１】
[0056]  メモリ４４０は、以下のソフトウェアモジュールを記憶し得る非一時的なコンピュータ読み取り可能な記憶媒体（例えば、ＥＰＲＯＭ、ＥＥＰＲＯＭ（登録商標）、フラッシュメモリ、ハードドライブ等のような１つまたは複数の不揮発性メモリ要素）を含み得る：
・  １つまたは複数の通信プロトコルに従って通信信号を送信および受信するためにトランシーバ４１０を制御するためのトランシーバ制御モジュール４４２
・  トランシーバ４１０内で１つまたは複数の通信信号を増幅するために構成可能な増幅器４２０を制御するための構成可能な増幅器制御モジュール４４４
各ソフトウェアモジュールは、プロセッサ４３０によって実行されると、ワイヤレスデバイス４００に、対応する（１つまたは複数の）機能を実施させ得るプログラム命令を含む。したがって、メモリ４４０の非一時的なコンピュータ読み取り可能な記憶媒体は、図５の動作の一部または全体を実施するための命令を含み得る。
【００５２】
[0057]  トランシーバ４１０およびメモリ４４０に結合されるプロセッサ４３０は、ワイヤレスデバイス４００において（例えば、メモリ４４０内に）記憶された１つまたは複数のソフトウェアプログラムのスクリプトまたは命令を実行することができる任意の１つまたは複数の好適なプロセッサであり得る。
【００５３】
[0058]  プロセッサ４３０は、通信プロトコルに従って通信信号を受信および／または送信するようにトランシーバ４１０を構成するために、トランシーバ制御モジュール４４２を実行し得る。いくつかの実施形態では、トランシーバ制御モジュール４４２は、トランシーバ４１０についての動作周波数（例えば、キャリア周波数）を決定し得る。
【００５４】
[0059]  プロセッサ４３０は、構成可能な増幅器４２０についての動作モードを選択するために、構成可能な増幅器制御モジュール４４４を実行し得る。例えば、トランシーバ４１０によって使用される、選択された動作周波数に基づいて、構成可能な増幅器制御モジュール４４４は、構成可能な増幅器４２０についての動作モードを決定し得る。いくつかの実施形態では、構成可能な増幅器４２０によって増幅された信号の第２の高調波周波数がワイヤレスデバイス４００内の別のコンポーネントおよび／または回路と干渉し得るとき、構成可能な増幅器制御モジュール４４４は、キャンセリングモードで、構成可能な増幅器４２０を動作させ得る。逆に、構成可能な増幅器４２０によって増幅された信号の第２の高調波周波数がワイヤレスデバイス４００内の別のコンポーネントおよび／または回路と干渉しない可能性があるとき、構成可能な増幅器制御モジュール４４４は、通常モードで、構成可能な増幅器４２０を動作させ得る。
【００５５】
[0060]  図５は、例示的な実施形態による、構成可能な増幅器４２０を動作させるための例示的な動作５００を表す例示的なフローチャートを示す。図２〜図４も参照すると、第１のアップコンバートされた通信信号が生成される（５０２）。第１のアップコンバートされた通信信号は、第１の処理経路Ｐ１によって生成され得、第１のローカル発振器信号およびベースバンド信号に少なくとも部分的に基づき得る。いくつかの実施形態では、第１のローカル発振器信号およびベースバンド信号は、直交信号であり得る。
【００５６】
[0061]  構成可能な増幅器４２０の動作モードが選択される（５０４）。例えば、出力信号の二次高調波をキャンセルすることが望ましいとき、第１のモードが選択され得る。逆に、出力信号の二次高調波をキャンセルすることが望まれない（または必要でない）（例えば、むしろ第１のモードと比較して出力信号の大きさを増加させることが望ましい）とき、第２のモードが選択され得る。
【００５７】
[0062]  次に、第２のアップコンバートされた通信信号が生成される（５０６）。より具体的には、少なくともいくつかの例示的な実施形態については、構成可能な増幅器４２０が第１のモードで動作するように選択されるとき、第１のアップコンバートされた通信信号の実質的に９０度位相シフトされたバージョンとなる第２のアップコンバートされた通信信号が生成される（５０６Ａ）。逆に、構成可能な増幅器４２０が第２のモードで動作するように選択されるとき、第１のアップコンバートされた通信信号と実質的に同一となる第２のアップコンバートされた通信信号が生成される（５０６Ｂ）。そして、出力信号が、第１のアップコンバートされた通信信号および第２のアップコンバートされた通信信号に少なくとも部分的に基づいて生成される（５０８）。
【００５８】
[0063]  第１のアップコンバートされた通信信号２７４は、第１のローカル発振器信号およびベースバンド信号に少なくとも部分的に基づき得、第２のアップコンバートされた通信信号２７６は、第２のローカル発振器信号およびベースバンド信号に少なくとも部分的に基づき得る。いくつかの実施形態では、第２のローカル発振器信号は、構成可能な増幅器４２０が第１のモードで動作するように選択されるとき、第１のローカル発振器信号の実質的に９０度位相シフトされたバージョンであり得、第２のローカル発振器信号は、構成可能な増幅器４２０が第２のモードで動作するように選択されるとき、第１のローカル発振器信号と実質的に同様であり得る。いくつかの実施形態では、第２のローカル発振器信号およびベースバンド信号は、直交信号であり得る。
【００５９】
[0064]  前述の明細書では、本実施形態は、それらの特定の例示的な実施形態を参照して説明されている。しかしながら、添付の特許請求の範囲に説明される本開示のより広い範囲から逸脱することなく、それらに対して様々な修正および変更が成され得ることは明らかである。したがって、明細書および図面は、限定的な意味ではなく例示的な意味で見なされるべきである。
【図１】
2018514143.tif 000016
【図２】
2018514143.tif 000017
【図３】
2018514143.tif 000018
【図４】
2018514143.tif 000019
【図５】
2018514143.tif 000020
【国際調査報告】
2018514143.tif 000021
2018514143.tif 000022